(57)【要約】【課題】  ねじ部材を螺合させ易くするとともに、厚みを大きくすることなく断熱性を向上させることのできるパネル材を提供すること。【解決手段】  化粧板１１と、裏面板１２と、化粧板１１と裏面板１２との間に配置される芯材１３とを備えたパネル材１０における芯材１３の所定部分に間隔を保って、周面にねじ部材が螺合できる穴部１６を設けた。また、穴部１６を上下左右に一定間隔を保って配置して、芯材１３が格子状になるようにした。さらに、芯材１３と裏面板１２との間に断熱材層１４を設けた。【選択図】  図２
2007224495.tif 000002
【特許請求の範囲】
【請求項１】
板状の表面材と、板状の裏面材と、前記表面材と前記裏面材との間に配置される芯材とを備えたパネル材であって、前記芯材の所定部分に間隔を保って、周面にねじ部材を嵌入できる穴部を設けたことを特徴とするパネル材。
【請求項２】
前記穴部を上下左右に一定間隔を保って配置して、前記芯材の断面形状が格子状になるようにした請求項１に記載のパネル材。
【請求項３】
前記穴部における少なくとも前記表面材側を開口させた請求項１または２に記載のパネル材。
【請求項４】
前記穴部に軟質の断熱材を充填した請求項１ないし３のうちのいずれか一つに記載のパネル材。
【請求項５】
前記芯材と前記裏面材との間に断熱材層を設けた請求項１ないし４のうちのいずれか一つに記載のパネル材。
【発明の詳細な説明】
【技術分野】
【０００１】
本発明は、表面材、裏面材および芯材を備えたパネル材に関する。
【背景技術】
【０００２】
従来から、浴室ユニット等の内部と外部とを仕切るための壁面には断熱性を有するパネル材が用いられている（例えば、特許文献１参照）。このパネル材は、室内側に配置される表面材の裏面側に、合板と断熱材とを順次配置させ、断熱材の裏面に裏面材を貼り付けて構成されている。
【特許文献１】特開２００１−３５１３号公報
【発明の開示】
【０００３】
このようなパネル材を、例えば浴室ユニットの壁面として使用する場合には、パネル材の表面に手摺やフック等の物品がねじ部材を用いて固定される。しかしながら、前述した従来のパネル材では、室内の保温性を向上させるために、パネル材の断熱性を良好にするには、断熱材を厚くしなければならず、これによるとパネル材全体が厚くなってパネル材が大型化するという問題が生じる。
【０００４】
本発明は、前述した問題に対処するためになされたもので、その目的は、ねじ部材を取付易くするとともに、厚みを厚くすることなく断熱性を向上させることのできるパネル材を提供することである。
【０００５】
前述した目的を達成するため、本発明に係るパネル材の構成上の特徴は、板状の表面材と、板状の裏面材と、表面材と裏面材との間に配置される芯材とを備えたパネル材であって、芯材の所定部分に間隔を保って、周面にねじ部材を嵌入できる穴部を設けたことにある。
【０００６】
このように構成した本発明に係るパネル材では、表面材と裏面材との間に位置する芯材の所定部分にねじ部材を嵌入できる穴部を設けているため、ねじ部材を表面材側から嵌入させて、芯材の穴部に入るようにすると、穴部がガイドとなってねじ部材が芯材に対して嵌入しやすくなる。このため、手摺やフック等の物品をパネル材に取り付ける場合にその取り付け作業が容易になる。
【０００７】
また、穴部内の空気層が断熱効果を発揮してパネル材の断熱性が向上するためパネル材を、壁面として用いた場合には、パネル材が設置されるユニット内の保温性が向上する。また、芯材を硬度や強度の大きなもので構成することもでき、これによると、芯材に穴部を設けてもパネル材を高強度にすることができる。なお、このパネル材は、浴室ユニット等の壁面や天井面等のように室内と室外とを区切る等、所定の空間を区切るためのパネルとして使用されるものである。
【０００８】
また、本発明に係るパネル材の他の構成上の特徴は、穴部を上下左右に一定間隔を保って配置して、芯材の断面形状が格子状になるようにしたことにある。これによると、穴部の位置が分かり易くなるため、ねじ部材の取り付け位置が正確になり、物品の取り付け作業がさらに容易になる。
【０００９】
また、本発明に係るパネル材のさらに他の構成上の特徴は、穴部における少なくとも表面材側を開口させたことにある。この場合の穴部は芯材の表裏に貫通するもので構成してもよいが、少なくとも表面材側が開口したものにする。これによって、パネル材が設置されるユニット内等の内部側の熱が外部に逃げることをより効果的に防止できる。
【００１０】
また、本発明に係るパネル材のさらに他の構成上の特徴は、穴部に軟質の断熱材を充填したことにある。これによると、芯材でパネル材の強度を維持しながら穴部内の断熱材で断熱効果を向上させることができる。また、断熱材を軟質材料で構成したため、ねじ部材のパネル材への嵌入も容易になる。
【００１１】
また、本発明に係るパネル材のさらに他の構成上の特徴は、芯材と裏面材との間に断熱材層を設けたことにある。これによると、パネル材の断熱効果がさらに向上する。
【発明を実施するための最良の形態】
【００１２】
（第１実施形態）
以下、本発明に係るパネル材の第１実施形態を図面を用いて詳しく説明する。図１および図２は、同実施形態に係るパネル材１０を示しており、このパネル材１０は浴室ユニットの壁面用として用いられるものである。このパネル材１０は、本発明の表面材としてのプラスチック材料からなる化粧板１１と、本発明の裏面材としてのＦＲＰ（繊維強化プラスチック）からなる裏面板１２との間に、ＡＢＳ樹脂材料からなる芯材１３と発泡ウレタンからなる断熱材層１４とが積層されて構成されている。
【００１３】
また、芯材１３と断熱材層１４は、化粧板１１と裏面板１２よりも一回り小さく形成されて、化粧板１１と裏面板１２の間における中央側に配置されその端面側周囲に、硬質の樹脂材料からなる枠部材１５が取り付けられている。そして、図３および図４に示したように、芯材１３には、複数の四角形の穴部１６が上下左右に一定間隔を保って形成されている。この穴部１６は、上下左右の長さがそれぞれ３ｍｍに設定され、各穴部１６間の幅が２ｍｍに設定されており、この穴部１６を設けることによって芯材１３は格子状に形成されている。
【００１４】
このように構成されたパネル材１０は、浴室ユニットの床面を構成する防水パンの周縁部の上面に並べて配置され、各パネル材１０の上端部には、天井パネルが取り付けられる。この場合の組み付けは、パネル材１０の周縁部の枠部材１５に対応する部分に、取り付け用の凹部等を設けて、その凹部等および所定の固定具を介してパネル材１０を防水パンに固定することにより行われる。また、パネル材１０の表面（室内側の面）には、手摺、タオル掛け、シャワー用フック等が、ビス等のねじ部材によって取り付けられる。
【００１５】
この場合、ねじ部材としては、直径が３ｍｍよりも大きいものを用い、先端部を穴部１６に位置合わせした状態でパネル材１０の表面側から芯材１３の裏面側に向けて嵌入させていく。この際、穴部１６がガイドになるため、ねじ部材のパネル材１０への嵌入が容易になり手摺等の物品の取り付けが容易になるとともに、ねじ部材は穴部１６の周面を抉るようにして芯材１３に嵌入するため、物品の固定も確実なものになる。また、この穴部１６は、化粧板１１によって隠れて見えなくなっているが、一定の寸法で規則正しく配置されているため、パネル材１０の縁部からの長さを測ることにより穴部１６の正確な位置を知ることができる。
【００１６】
以上のように、本実施形態に係るパネル材１０では、芯材１３に穴部１６が設けられているため、ねじ部材を化粧板１１側から嵌入させて、芯材１３の穴部１６に入るようにすると、穴部１６がガイドとなってねじ部材が芯材１３に嵌入しやすくなる。このため、手摺やフック等の物品をパネル材１０に取り付ける際の取り付け作業が容易になる。また、この場合、ねじ部材は穴部１６の周面に食い込むようにして嵌入するため物品の固定も確実になる。さらに、穴部１６内の空気層が断熱層となってパネル材１０の断熱性が向上するためパネル材１０が設置される浴室ユニットの保温性が向上する。
【００１７】
また、穴部１６が上下左右に一定間隔を保って配置されているため、芯材１３に設けられた穴部１６が化粧板１１によって隠れていても穴部１６の位置が簡単に分かるようになる。このため、ねじ部材の取り付け位置が正確になり、手摺等の物品の取り付け位置も正確になるとともにその取り付け作業もさらに容易になる。さらに、芯材１３と裏面板１２との間に、発泡ウレタンからなる断熱材層１４が設けられているため、パネル材１０の断熱効果がさらに向上する。
【００１８】
（第２実施形態）
また、図５および図６は、本発明の第２実施形態に係るパネル材２０またはパネル材２０が備える芯材２３を示している。この芯材２３は、前述した実施形態の芯材１３と同一構造からなる芯材本体２５の穴部２６内にそれぞれ樹脂発泡材からなる軟質の断熱材２７を充填して構成されている。また、このパネル材２０では、断熱材層２４が、パネル材１０の断熱材層１４よりも薄肉に形成されている。このパネル材２０のそれ以外の部分の構成については、前述した実施形態のパネル材１０と同一である。したがって、同一部分に同一符号を記して説明は省略する。
【００１９】
このように、穴部２６内に断熱材２７を充填することにより、パネル材２０の断熱効果をさらに向上させることができる。また、この芯材２３を備えたパネル材２０にねじ部材を嵌入させる際には、穴部２６内に充填された断熱材２７が軟質材料で構成されているため、ねじ部材のパネル材への嵌入も容易になる。また、穴部２６内に充填された断熱材２７によって断熱材層２４を薄肉に形成できるため、その分パネル材２０を小型化することができる。このパネル材２０のそれ以外の作用効果は、前述したパネル材１０と同様である。
【００２０】
また、本発明に係るパネル材は、前述した各実施形態に限定するものでなく、適宜変更することができる。例えば、前述した各実施形態では、芯材１３に形成する穴部１６および芯材２３の芯材本体２５に形成する穴部２６をともに四角形の穴部としているが、この穴部の形状は円形、楕円形、三角形、または四角形以上の多角形であってもよい。要は、周面を抉るようにしてねじ部材が嵌入でき、さらに穴部を設けることによってパネル材の断熱性が向上するような形状や大きさになっていればよい。
【００２１】
また、芯材１３および芯材本体２５に形成する穴部１６，２６の大きさもパネル材１０，２０に取り付けられる物品や使用するねじ部材に応じて適宜変更することができる。さらに、前述した各実施形態では、穴部１６，２６をそれぞれ芯材１３，芯材本体２５の表裏に貫通させているが、この穴部１６，２６は中空のものであってもよいし、芯材１３，芯材本体２５の表裏面のうちの一方だけに開口したものであってもよい。穴部１６，２６の一方側だけを開口させる場合には、芯材１３，芯材本体２５の化粧板１１側を開口させることが好ましい。
【００２２】
さらに、前述した各実施形態では、芯材１３および芯材本体２５をＡＢＳ樹脂材料で構成しているが、芯材１３および芯材本体２５を構成する材料としては、ＡＢＳ樹脂材料に限らず、他の樹脂材料やアルミニウム等の金属材料でもよい。また、合板を用いることもできる。さらに、本発明に係るパネル材は、浴室ユニットの壁面だけでなく、天井パネルとしても使用でき、さらに浴室ユニット以外の部分に使用されるパネルとして用いることもできる。また、本発明に係るパネル材は、前述した部分以外の部分の構成についても、前述した各実施形態に限定することなく、本発明の技術的範囲内で適宜変更して実施することができる。
【図面の簡単な説明】
【００２３】
【図１】本発明に係る第１実施形態に係るパネル材を示した斜視図である。
【図２】パネル材を示した断面図である。
【図３】パネル材が供える芯材を示した正面図である。
【図４】図３の４−４断面図である。
【図５】本発明の第２実施形態に係るパネル材が供える芯材を示した正面図である。
【図６】本発明の第２実施形態に係るパネル材を示した断面図である。
【符号の説明】
【００２４】
１０，２０…パネル材、１１…化粧板、１２…裏面板、１３，２３…芯材、１４，２４…断熱材層、１６，２６…穴部、２７…断熱材。
【図１】
2007224495.tif 000003
【図２】
2007224495.tif 000004
【図３】
2007224495.tif 000005
【図４】
2007224495.tif 000006
【図５】
2007224495.tif 000007
【図６】
2007224495.tif 000008